(57)【特許請求の範囲】
【請求項１】
曲率中心が上方に位置するように湾曲形成した中空の細長いケーシング内に、錘りを長手方向へ移動自在に収納し、上記ケーシングの内壁面の所要個所に乾燥剤を上記錘りと干渉しないように取り付け、且つ上記ケーシングを密閉構造としてなる構成を有することを特徴とする減揺装置。
【請求項２】
ケーシングの内壁面に乾燥剤を取り付けることに代えて、錘りに乾燥剤を取り付けるようにした請求項１記載の減揺装置。
【請求項３】
ケーシングを索道機器の屋根上に、索道機器の揺れ方向に向けて設置した請求項１又は２記載の減揺装置。
【発明の詳細な説明】
【０００１】
【発明の属する技術分野】
本発明はプレジャーボートや遊漁船の如き船舶や、索道機器としてのゴンドラ、橋梁の脚柱、鉄塔、その他の構造物等に搭載してこれらの揺れを抑制するために用いる減揺装置に関するもので、特に、低温環境下で使用するのに適した減揺装置に関するものである。
【０００２】
【従来の技術】
たとえば、プレジャーボートの如き比較的小型の船舶は、幅方向（舷方向）が長手方向（船首尾方向）に比べて短いため、波力や風力等の外力により、主としてロール方向の揺れが発生し易いという特性がある。そのため、ロール方向の揺れを低減させるべく、最近では、ビルや鉄塔等で用いられている単弦運動方式のパッシブ型減揺装置が採用されるようになってきている。この減揺装置は、図６（イ）（ロ）に示す如く、曲率中心が上方向に位置するように所要の曲率で湾曲形成した左右方向に長い円弧状の底板２上に、前後の側板３と左右の端面板４とを設けると共に、これら前後の側板３と左右の端面板４とで囲まれる空間の上面を上面板５で塞ぐようにして中空の細長いケーシング１を形成し、該ケーシング１内に、錘り６を、車輪７を介して底板２の長手方向に沿い移動（揺動）自在に収納させ、更に、上記錘り６の側面部に、側板３の内面に接して転動するようにしたサイドローラ８を設けると共に、錘り６の移動方向両端面にバッファ９を取り付けた構成としてあり、船舶１０の屋根１０ａ上に、上記ケーシング１を、船舶１０が主として揺れる方向となるロール方向（矢印Ｘ方向）へ向けて支持台１１を介して据え付けて固定し、船舶１０にロール方向の揺れが発生したときに上記錘り６が車輪７とサイドローラ８の転動を介してケーシング１内を長手方向に反復移動させられるようにしたものである。
【０００３】
かかる減揺装置の場合、錘り６の固有周期を底板２の曲げで与えるようにしてあるので、固有周期調整用の機械的部品が不要であり、簡単な構造で大ストロークを実現できて大きな減揺効果を得ることができる。
【０００４】
【発明が解決しようとする課題】
ところが、寒冷地方あるいは厳冬期等の低温環境下で使用すると、ケーシング１内にある空気中の水分が結露して凍結するため、たとえば、車輪７が底板２に固着してしまったり、サイドローラ８が側板３に固着してしまったり、あるいは、車輪７やサイドローラ８の軸の部分が固着してしまったり、更には、側板３の内面に付着した結露が凍結することにより、サイドローラ８と側板３との間の隙間がなくなってしまったりする等の現象が起り、錘り６が作動不良を起す問題が惹起される。
【０００５】
この問題を解決するための対策としては、ケーシング１内を不凍液で満たしたり、ケーシング１をヒータで加熱したりすることが考えられるが、不凍液を使用すると、錘り６の摩擦係数が著しく変化するため、減衰比が設計値より大幅に狂ってしまう問題があり、一方、ヒータを使用すると、電気不使用のパッシブ型に電気を用いなければならないので、運転費が高騰してしまう問題があり、又、たとえば、ロープウエイの電気を用いないゴンドラ等へは採用できないという不具合が発生する。
【０００６】
因に、上記錘りの減衰比は、図７に示す錘りの自由減衰曲線において、１周期毎の変位量をａ1 、ａ2 、ａ3 、…ａn とすると、摩擦力が無い場合には、Ｃ＝（１／２π）ｌｎ（ａ1 ／ａ2 ）＝（１／２π）ｌｎ（ａ2 ／ａ3 ）＝…＝（１／２π）ｌｎ（ａn ／ａn ＋１）となるが、実際には摩擦力を有するため、Ｃ＝（１／２π）ｌｎ（ａ1 ／ａ2 ）＝（１／２π）ｌｎ（初期変位／１周期した変位）となる。
【０００７】
そこで、本発明は、低温環境下で使用しても設計値通りの減衰比を保持しつつ錘りを安定作動させられるようにし、しかも電気を用いることなく凍結の問題を解決することができるようにしようとするものである。
【０００８】
【課題を解決するための手段】
本発明は、上記課題を解決するために、曲率中心が上方に位置するように湾曲形成した中空の細長いケーシング内に、錘りを長手方向へ移動自在に収納し、上記ケーシングの内壁面の所要個所に乾燥剤を上記錘りと干渉しないように取り付け、且つ上記ケーシングを密閉構造としてなる構成とする。
【０００９】
乾燥剤によりケーシング内の空気中の水分が吸着除去されることから、凍結が防止され、錘りに作動不良を起すことがなくなる。
【００１０】
又、ケーシングの内壁面に乾燥剤を取り付けることに代えて、錘りに乾燥剤を取り付けるようにした構成とすると、錘りの揺動運動によって乾燥剤が揺り動かされるため、乾燥剤を活性化させることが可能となり、より長期間安定して使用することができるようになる。
【００１１】
【発明の実施の形態】
以下、本発明の実施の形態を図面を参照して説明する。
【００１２】
図１（イ）（ロ）（ハ）は本発明の実施の形態を示すもので、図６（イ）（ロ）に示したと同様な構成としてある減揺装置において、ケーシング１の内壁面、たとえば、上面板５の内面に、ケーシング１内の空気中の全水分を吸着してケーシング１内を乾燥させるに充分な量のゼオライト系の乾燥剤１２を、錘り６と干渉しないように設置し、且つ上記ケーシング１内を密閉できるようにして気密を保てるような構成とする。
【００１３】
上記ケーシング１内に乾燥剤１２を設置してケーシング１内を密閉させる際の具体的手順を説明すると、先ず、上面板５を取り外しておいた状態のケーシング１内に錘り６を収納させ、一方、上記取り外してある上面板５の内面に乾燥剤１２を取り付けるようにし、図１（ハ）にケーシング１の側板３の上端縁部３ａを拡大して示す如く、前後の側板３と左右の端面板４とでなす上端開口縁部に、ゴム製のシールパッキン１３を接着剤１４によって取り付け、次に、このシールパッキン１３上に、接着力を有するが離脱可能であるＰＯＳシールの如き弱粘着性接着剤１５を配し、この接着剤１５上に、上記上面板５の外周縁部５ａを密着させるように載置し、更に、上面板５の外周縁部５ａと側板３及び端面板４の上端縁部とをボルト１６により締め付けるようにする。しかる後、予め、ケーシング１の底板２の所要個所に設けておいた空気注入口に空気チューブを接続した状態として検査水槽内にケーシング１を没入させ、ケーシング１内に空気チューブを通し空気を圧入して密閉検査を行うようにする。密閉検査終了後、空気注入口をプラグ１７等で塞ぐようにする。
【００１４】
かかる構成とした減揺装置を、たとえば、プレジャーボートの如き小型の船舶１０に採用する場合には、図２に示す如く、ケーシング１を船舶１０の屋根１０ａ上に、支持台１１を介して左右方向に向けて搭載させるようにする。
【００１５】
本発明においては、ケーシング１内の空気中の全水分を吸着させるに必要充分な量の乾燥剤１２がケーシング１内に設置してあるため、ケーシング１内を乾燥させることができ、したがって、低温環境下で使用しても、ケーシング１内の空気中の水分の結露、凍結をなくすことができ、これにより、錘り６を設計値に基づく減衰比で常時安定作動させることができる。
【００１６】
上記において、乾燥剤１２は錘り６と接しない位置に設置してあるので、錘り６の揺動運動に支障を来すことがなく、又、電気を用いる必要がないため、長期間使用しても経済的である。更に、ケーシング１内の乾燥状態を維持できることから、ケーシング１の内壁面の発錆を防止することができ、このため、ケーシング１の内壁面には塗装を施す必要がなく、塗装が錘り６の車輪７やサイドローラ８、バッファ９等との接触によって剥されることもないので、ケーシング１の防塵対策にもなって有利である。
【００１７】
次に、図３は本発明の他の実施の形態を示すもので、図１（イ）（ロ）（ハ）に示したものと同様な構成において、乾燥剤１２をケーシング１の上面板５の内面に取り付けることに代えて、乾燥剤１２を錘り６に取り付けるようにしたものである。
【００１８】
図３に示すようにすると、錘り６の揺動運動により乾燥剤１２に対し揺り動かすような作用を与えることができるので、乾燥剤１２を活性化させ易くなり、より長期に亘って使用できる利点がある。
【００１９】
図４はロープウエイで用いられている索道機器としてのゴンドラ１８への適用例を示すもので、上記した船舶１０への適用例の場合と同様に、ゴンドラ１８の屋根１８ａ上に、ゴンドラ１８の揺れ方向に合わせてケーシング１を設置したものである。
【００２０】
ロープウエイのゴンドラ１８は、移動ケーブル１９から吊具２０を介して吊られており、通常、外部給電は行われないので、本発明の減揺装置を適用することによって極めて有利となる。
【００２１】
なお、図１に示す実施の形態では、乾燥剤１２をケーシング１の上面板５の内面に取り付けた場合を示したが、バッファ９と当接しないように端面板４の内面に取り付けたり、サイドローラ８と接触しないように側板３の内面に取り付けるようにしてもよいこと、又、図示し説明した以外の他のあらゆる構造物に適用できること、更に、乾燥剤としてゼオライト系のものを示したが、これに限定されるものではなく、他の乾燥剤でもよいこと、更に又、ケーシング１の断面形状は図示した以外の形状であってもよいこと、その他本発明の要旨を逸脱しない範囲内において種々変更を加え得ることは勿論である。
【００２２】
【実施例】
図５（イ）（ロ）は−２０℃の低温環境下で錘りを最大変位させて自由減衰させる実験を行った結果を示すもので、（イ）は乾燥剤を取り付けたときの自由減衰曲線であり、（ロ）は乾燥剤を取り付けなかったときの自由減衰曲線図である。実験によると、乾燥剤を用いた場合の錘りの減衰比は１３％、乾燥剤を用いない場合の錘りの減衰比は２３％であるという結果が得られた。これらの結果から、乾燥剤を用いた場合には、水分の凍結による減衰抵抗の増大がないことがわかった。
【００２３】
【発明の効果】
以上述べた如く、本発明の減揺装置によれば、曲率中心が上方に位置するように湾曲形成した中空の細長いケーシング内に、錘りを長手方向へ移動自在に収納し、上記ケーシングの内壁面の所要個所に上記錘りと干渉しないように乾燥剤を取り付け、且つ上記ケーシングを密閉してなる構成としてあるので、ケーシング内の空気中に存在する水分を乾燥剤により吸着乾燥させることができ、したがって、低温環境下で使用しても電気を使用せずに水分の結露、凍結を防止することができ、これにより、設計値に基づく減衰比で錘りを常時安定作動させることができ、又、乾燥剤を錘りに取り付けるようにすると、錘りの揺動運動によって乾燥剤を活性化できることによって、より長期間に亘って錘りの作動を良好に維持させることができ、外部給電を行わない索道機器に適用すると特に有利となる、等の優れた効果を発揮する。
【図面の簡単な説明】
【図１】本発明の減揺装置の実施の一形態を示すもので、（イ）は一部切断正面図、（ロ）は切断側面図、（ハ）は（ロ）のＡ部拡大図である。
【図２】小型の船舶への採用例を示す概略図である。
【図３】本発明の他の実施の形態を示す一部切断正面図である。
【図４】索道機器としてのゴンドラへの採用例を示す概略図である。
【図５】低温環境下で行った実験結果を示すもので、（イ）は乾燥剤を取り付けた場合の錘りの自由減衰曲線図、（ロ）は乾燥剤を取り付けなかった場合の錘りの自由減衰曲線図である。
【図６】従来の減揺装置の一例を示すもので、（イ）は一部切断正面図、（ロ）は切断側面図である。
【図７】錘りの理想的な自由減衰曲線を示す図である。
【符号の説明】
１  ケーシング
２  底板
６  錘り
１２  乾燥剤
１８  ゴンドラ（索道機器）
１８ａ  屋根
【図１】
0003769694.tif 000002
【図２】
0003769694.tif 000003
【図３】
0003769694.tif 000004
【図４】
0003769694.tif 000005
【図５】
0003769694.tif 000006
【図６】
0003769694.tif 000007
【図７】
0003769694.tif 000008